(57)【要約】【課題】使用及び組み立てが容易な吸着式ナイフシャープナーを提供する。【解決手段】吸着式ナイフシャープナーは、ベース１０、固定部材３０及び２つの研磨片４０を備える。ベース１０は、一端に吸着装置２０が取り付けられ、他端に穿設孔１１が形成される。ベース１０内部には、収納室１２が形成される。収納室１２内には、ねじ孔１３１が形成される。固定部材３０には、締結孔３１が形成され、ボルト３２を締結孔３１へ挿通させて固定部材３０をベース１０のねじ孔１３１へ螺着させる。固定部材３０には、穿設孔１１に対向した箇所に位置規制部３４が形成される。研磨片４０は、交差するように固定部材３０の位置規制部３４に配設される。研磨片４０の尖端が穿設孔１１に挿通され、ベース１０の表面から研磨片４０を外側へ突出させ、２つの研磨片４０間でナイフを研ぐ。【選択図】図２
0003190289.tif 000002
【実用新案登録請求の範囲】
【請求項１】
ベース、固定部材及び２つの研磨片を備えた吸着式ナイフシャープナーであって、
上記ベースは、一端に吸着装置が取り付けられ、他端に穿設孔が形成され、ベース内部には、収納室が形成され、収納室内には、ねじ孔が形成され、
上記固定部材には、締結孔が形成され、ボルトを締結孔へ挿通させて固定部材をベースのねじ孔へ螺着させ、固定部材には、穿設孔に対向した箇所に位置規制部が形成され、
上記研磨片は、交差するように固定部材の位置規制部に配設され、研磨片の尖端が穿設孔に挿通され、ベースの表面から研磨片を外側へ突出させ、２つの研磨片間でナイフを研ぐことを特徴とする吸着式ナイフシャープナー。
【請求項２】
上記ベースの外表面には、２つの凹部が互いに平行に凹設され、凹部間には、収納室と連通した着脱口が形成され、
上記吸着装置は、吸盤、ハンドル及び軸支ピンを含み、吸盤の中央部には、杆体が接続され、
ベースの収納室が吸盤により覆われると、杆体が着脱口に挿設され、ハンドルには、２つの軸部が延設され、ベースの凹部に軸部が設置され、軸支ピンにより軸部と吸盤とが同時に枢着され、ハンドルにより杆体を連動させて吸盤に吸着作用を発生させることを特徴とする請求項１に記載の吸着式ナイフシャープナー。
【請求項３】
上記ハンドルの軸部には、ストッパが突設され、
上記ストッパは、ベースの凹部に押圧されて吸着時に位置決めさせることを特徴とする請求項２に記載の吸着式ナイフシャープナー。
【請求項４】
上記ベースの外表面の穿設孔の一側には、２つのカバー部が突設され、上記研磨片の尖端がカバー部に押圧されることを特徴とする請求項１に記載の吸着式ナイフシャープナー。
【請求項５】
上記ベースの収納室には、位置決めブロックが突設され、
上記ねじ孔は、位置決めブロックに形成され、
上記固定部材には、締結孔に対応した箇所に位置決め溝が形成され、位置決め溝に位置決めブロックを嵌合させるとベースと固定部材とが結合されることを特徴とする請求項１に記載の吸着式ナイフシャープナー。
【請求項６】
上記ベースの収納室の穿設孔に対応した側には、嵌合面が形成され、嵌合面に固定部材の位置規制部を組み合わせて研磨片を挟持して固定させることを特徴とする請求項１に記載の吸着式ナイフシャープナー。
【考案の詳細な説明】
【技術分野】
【０００１】
本考案は、吸着式ナイフシャープナーに関し、特に、使用及び組み立てが容易な吸着式ナイフシャープナーに関する。
【背景技術】
【０００２】
一般にナイフは長期間使用すると切れが鈍くなり、ナイフの切れを元に戻すために、従来、砥石でナイフを研いでいたが、砥石は全体のサイズが大きくて収納が困難であるという欠点がある上、使用する際、砥石を手で持って固定させなければならず、その際、誤って手を怪我する虞があった。その上、ナイフを研ぐ際、ユーザ自らが砥石に対してナイフの刃先の傾斜角度を調整する必要があった。しかし、ユーザは好ましい研磨効果が得られる最適な角度が分からないことが一般的であった。そのため、従来技術には収納が困難である上、使用する際、研磨角度の調整が容易でなく誤って怪我をしてしまうという欠点があった。
【考案の概要】
【考案が解決しようとする課題】
【０００３】
本考案の目的は、ベースの一端に吸着装置が取り付けられ、他端に穿設孔が形成され、穿設孔に研磨片を挿通させると吸着装置によりベースがスピーディに固定され、研磨片によりナイフを研磨することができ、このようにベースをスピーディに固定させ、吸着装置の利用によりユーザはベースを手で押さえる必要がなく、容易に力を加えることができるだけでなく、ナイフにより誤って手を怪我してしまう危険性がなく、容易にナイフを研磨することができる吸着式ナイフシャープナーを提供することにある。
本考案のもう一つの目的は、ベースの収納室内にねじ孔を形成し、固定部材はボルトにより直接ねじ孔に螺着され、固定部材の位置決め溝に研磨片を設置し、研磨片を穿設孔へ直接挿通させて研磨片を組立て、簡素な構造により容易に組立ててそのコストを大幅に減らすことができる吸着式ナイフシャープナーを提供することにある。
【図面の簡単な説明】
【０００４】
【図１】本考案の一実施形態に係る吸着式ナイフシャープナーを示す斜視図である。
【図２】本考案の一実施形態に係る吸着式ナイフシャープナーを示す分解斜視図である。
【図３】本考案の一実施形態に係る吸着式ナイフシャープナーを示す断面図である。
【図４】本考案の一実施形態に係る吸着式ナイフシャープナーを使用するときの状態を示す斜視図である。
【考案を実施するための形態】
【０００５】
図１及び図２を参照する。図１及び図２に示すように、本考案の一実施形態に係る吸着式ナイフシャープナーは、少なくともベース１０、吸着装置２０、固定部材３０及び２つの研磨片４０から構成される。ベース１０は、一端に吸着装置２０が取り付けられ、他端に穿設孔１１が形成されている。ベース１０の内部には、収納室１２が形成され、収納室１２内には、ねじ孔１３１が形成されている。ベース１０の収納室１２には、位置決めブロック１３が突設されている。ねじ孔１３１は、位置決めブロック１３に形成され、ベース１０の外表面には、２つの凹部１４が互いに平行に凹設され、凹部１４間には、収納室１２と連通した着脱口１５が形成されている。吸着装置２０は、吸盤２１、ハンドル２２及び軸支ピン２３を含む。吸盤２１の中央部には、杆体２１１が接続されている。ベース１０の収納室１２が吸盤２１により覆われると、杆体２１１が着脱口１５に挿設され、ハンドル２２には、２つの軸部２２１が延設され、ベース１０の凹部１４に軸部２２１が設置され、軸支ピン２３により軸部２２１と吸盤２１とが同時に枢着され、ハンドル２２により杆体２１１を連動させて吸盤２１に吸着作用を発生させる。ハンドル２２の軸部２２１には、ストッパ２２２が突設される。ストッパ２２２は、ベース１０の凹部１４を押圧して吸着時に位置決めさせる。固定部材３０には、締結孔３１が形成され、ボルト３２を締結孔３１へ挿通させて固定部材３０をベース１０のねじ孔１３１へ螺着させる。固定部材３０の締結孔３１には、位置決め溝３３が形成され、位置決め溝３３に位置決めブロック１３を嵌合させるとベース１０と固定部材３０とが結合される。固定部材３０には、穿設孔１１に対向した箇所に位置規制部３４が形成されている。２つの研磨片４０は、交差するように固定部材３０の位置規制部３４に設置され、研磨片４０の尖端が穿設孔１１に挿通され、ベース１０の収納室１２の穿設孔１１に対応した側に嵌合面１６が形成されている。嵌合面１６に固定部材３０の位置規制部３４を組み合わせて研磨片４０を挟持して固定させる。ベース１０の外表面の穿設孔１１の一側には、２つのカバー部１７が突設され、研磨片４０の尖端がカバー部１７に押圧される際に研磨片４０を保護し、ベース１０の表面から研磨片４０を外側へ突出させ、２つの研磨片４０間でナイフを研いで使用する。
【０００６】
図２〜図４を参照する。図２〜図４に示すように、本考案の一実施形態に係る吸着式ナイフシャープナーを実際に使用する際、研磨片４０を固定部材３０の位置決め溝３３に取り付け、固定部材３０を収納室１２内に設置するとともに、固定部材３０の位置規制部３４をベース１０の位置決めブロック１３に嵌合させ、ボルト３２を締結孔３１及びねじ孔１３１へ螺着し、固定部材３０とベース１０とを結合させ、研磨片４０を位置決め溝３３と嵌合面１６との間に挟持させる。研磨片４０の尖端は、ベース１０の穿設孔１１に挿通され、外側に露出されてカバー部１７に当接される。ベース１０の収納室１２は、吸盤２１により覆われ、吸盤２１が着脱口１５に挿設され、軸部２２１をベース１０の凹部１４に設置して軸支ピン２３を軸部２２１及び吸盤２１に同時に枢着させると本考案の組み立てが完成する。本実施形態のベース１０は、吸着装置２０を利用して何れかの平面に固定させることができる。ここで何れかの平面とは、卓上面、壁面、キャビネット表面、冷蔵庫の表面などでもよい。吸着装置２０は、吸盤２１を平面に当接させ、ハンドル２２を反対方向へ回動させてストッパ２２２がベース１０に押圧されると、杆体２１１が牽引され、杆体２１１により吸盤２１がベース１０の端部へ向かって引き込まれる。このように真空吸引によりベース１０をスピーディーに固定させることができる。吸着装置２０により壁面に吸着させる機能は、容易に収納することができる機能を得て、ナイフを研ぐ際、ナイフの刃先をベース１０の２つの研磨片４０間へ直接架設させ、研磨片４０の交差を利用して刃先の形状と同じに形成された夾角により、垂直状態で往復させて研磨し、これによりナイフを研ぐことができる上、ユーザ自らがナイフと研磨片４０との研磨角度を調整する必要がないため便利に使用することができる。
【０００７】
上述したことから分かるように、本考案の吸着式ナイフシャープナーは、以下（１）及び（２）の効果を有する。
（１）ベース１０は、一端に吸着装置２０が取り付けられ、他端に穿設孔１１が形成され、穿設孔１１に研磨片４０を挿通させると吸着装置２０によりベース１０がスピーディに固定され、研磨片４０によりナイフを研磨することができる。このようにベース１０をスピーディに固定させ、吸着装置２０の利用によりユーザはベース１０を手で押さえる必要がなく、容易に力を加えることができるだけでなく、ナイフにより誤って手を怪我してしまう危険性がなく、容易にナイフを研磨することができる。
（２）ベース１０の収納室１２内にねじ孔１３１を形成し、固定部材３０はボルト３２により直接ねじ孔１３１に螺着され、固定部材３０の位置決め溝３３に研磨片４０を設置し、研磨片４０を穿設孔１１へ直接挿通させて研磨片４０を組立て、簡素な構造により容易に組立ててそのコストを大幅に減らすことができる。
【符号の説明】
【０００８】
１０    ベース
１１    穿設孔
１２    収納室
１３    位置決めブロック
１４    凹部
１５    着脱口
１６    嵌合面
１７    カバー部
２０    吸着装置
２１    吸盤
２２    ハンドル
２３    軸支ピン
３０    固定部材
３１    締結孔
３２    ボルト
３３    位置決め溝
３４    位置規制部
４０    研磨片
１３１  ねじ孔
２１１  杆体
２２１  軸部
２２２  ストッパ
【図１】
0003190289.tif 000003
【図２】
0003190289.tif 000004
【図３】
0003190289.tif 000005
【図４】
0003190289.tif 000006